(57)【特許請求の範囲】
【請求項１】
縦方向に前後胴周り域およびそれら胴周り域の間に位置する股下域を有するアウターシートと、前記アウターシートの内側に取り付けられて前記股下域から前記前後胴周り域へ向かって延びる液吸収性の第１インナーパネルとから構成され、前記アウターシートの前後胴周り域が、前記第１インナーパネルの両側から胴周り方向外方へ延びる胴周り両側部と、前記胴周り両側部の間を前記胴周り方向へ延びる胴周り中央部とを有する使い捨て着用物品において、
前記アウターシートの内側に取り付けられて前記前後胴周り域の前記胴周り方向へ延びる液吸収性の第２インナーパネルの両側部が、前記アウターシートの胴周り側部の側縁に固着され、前記両側部を除く残余の部位が、前記アウターシートから遊離し、前記第２インナーパネルには、前記胴周り方向へ延びる伸縮性弾性部材が取り付けられていることを特徴とする前記着用物品。
【請求項２】
前記第１インナーパネルと前記第２インナーパネルとが、肌当接側に位置する透液性の表面シートと、肌非当接側に位置する実質的に不透液性の裏面シートと、前記表裏面シートの間に介在する吸液性コアとから形成されている請求項１記載の着用物品。
【請求項３】
前記縦方向へ所与寸法離間して前記胴周り方向へ延びる複数条の伸縮性弾性部材が、前記第２インナーパネルに伸長状態で取り付けられている請求項１または請求項２に記載の着用物品。
【請求項４】
前記アウターシートの前後胴周り域が、前記胴周り両側部の側縁近傍を前記縦方向へ延びる接合部を介して連結され、前記着用物品が、胴周り開口とその下方に一対の脚周り開口とを有する請求項１ないし請求項３いずれかに記載の着用物品。
【発明の詳細な説明】
【０００１】
【発明の属する技術分野】
本発明は、排泄物を吸収、保持する使い捨て着用物品に関する。
【０００２】
【従来の技術】
特開平９−５６７４７号公報は、互いに対向する前後胴周り域およびそれら胴周り域の間に位置する股下域を有するアウターシートと、アウターシートの内側に取り付けられて股下域から前後胴周り域へ向かって延びる液吸収性のインナーパネルとから構成され、胴周り開口とその下方に一対の脚周り開口とを有するパンツ型の使い捨て着用物品を開示している。
【０００３】
アウターシートは、股下域に胴周り方向内方へ向かって実質的に弧を画く脚周り側部を有し、その平面形状が砂時計型を呈する。アウターシートの前後胴周り域は、インナーパネルの両側から胴周り方向外方へ延びる胴周り両側部と、胴周り両側部の間を胴周り方向へ延びる胴周り中央部とを有する。アウターシートでは、前胴周り域の胴周り両側部と後胴周り域の胴周り両側部とが合掌状に重なり合い、それら胴周り両側部の側縁近傍が縦方向へ間欠的に並ぶ多数の熱融着線を介して固着されている。アウターシートでは、前後胴周り域に複数条の胴周り用弾性部材が伸長状態で取り付けられ、脚周り側部に複数条の脚周り用弾性部材が伸長状態で取り付けられている。
【０００４】
インナーパネルは、肌当接側に位置する透液性表面シートと、肌非当接側に位置する不透液性裏面シートと、表裏面シートの間に介在する吸液性コアとから形成されている。インナーパネルは、縦方向へ長い略矩形を呈し、その両端部がアウターシートの前後胴周り域に固着され、その中央部がアウターシートの股下域に固着されている。インナーパネルでは、両端部と中央部との間の部位がアウターシートに固着されておらず、アウターシートから遊離している。
【０００５】
この着用物品は、インナーパネルがアウターシートの前後胴周り域と股下域とに固着されているので、インナーパネルが股下域から浮き上がったり、左右へずれ動いたりすることがなく、インナーパネルがアウターシートとともに着用者の肌に密着して排泄物の漏れを防ぐことができるという効果を有する。
【０００６】
【発明が解決しようとする課題】
前記公報に開示の着用物品では、アウターシートの前後胴周り域の胴周り両側部にインナーパネルが存在せず、排泄物を胴周り両側部において吸収、保持することができない。この着用物品では、インナーパネルに排泄された排泄物がインナーパネルから前後胴周り域の胴周り両側部に漏れると、それが胴周り両側部の内側に残留し、そこから排泄物が着用者の肌に付着してしまう。
【０００７】
本発明の課題は、アウターシートの前後胴周り域の胴周り両側部において排泄物を吸収、保持することができる使い捨て着用物品を提供することにある。
【０００８】
【課題を解決するための手段】
前記課題を解決するための本発明の前提は、縦方向に前後胴周り域およびそれら胴周り域の間に位置する股下域を有するアウターシートと、前記アウターシートの内側に取り付けられて前記股下域から前記前後胴周り域へ向かって延びる液吸収性の第１インナーパネルとから構成され、前記アウターシートの前後胴周り域が、前記第１インナーパネルの両側から胴周り方向外方へ延びる胴周り両側部と、前記胴周り両側部の間を前記胴周り方向へ延びる胴周り中央部とを有する使い捨て着用物品である。
【０００９】
前記前提における本発明の特徴は、前記アウターシートの内側に取り付けられて前記前後胴周り域の前記胴周り方向へ延びる液吸収性の第２インナーパネルの両側部が、前記アウターシートの胴周り側部の側縁に固着され、前記両側部を除く残余の部位が、前記アウターシートから遊離し、前記第２インナーパネルには、前記胴周り方向へ延びる伸縮性弾性部材が取り付けられていることにある。
【００１０】
本発明の実施の態様の一例としては、前記第１インナーパネルと前記第２インナーパネルとが、肌当接側に位置する透液性の表面シートと、肌非当接側に位置する実質的に不透液性の裏面シートと、前記表裏面シートの間に介在する吸液性コアとから形成されている。
【００１１】
本発明の実施の態様の他の一例としては、前記縦方向へ所与寸法離間して前記胴周り方向へ延びる複数条の伸縮性弾性部材が、前記第２インナーパネルに伸長状態で取り付けられている。
【００１２】
本発明の実施の態様の他の一例としては、前記アウターシートの前後胴周り域が、前記胴周り両側部の側縁近傍を前記縦方向へ延びる接合部を介して連結され、前記着用物品が、胴周り開口とその下方に一対の脚周り開口とを有する。
【００１３】
【発明の実施の形態】
添付の図面を参照し、使い捨て着用物品の詳細を説明すると、以下のとおりである。
【００１４】
図１，２は、着用物品１Ａの部分破断斜視図と、前後胴周り域５，７の連結を解除した状態で示す着用物品１Ａの部分破断平面図とであり、図３，４は、図１のＡ−Ａ線矢視断面図と、図２のＢ−Ｂ線断面図とである。図１，２では、胴周り方向を矢印Ｘで示し、縦方向を矢印Ｙで示す。図２では、着用物品１Ａが縦方向と胴周り方向とヘ伸張した状態にある。なお、表面シート１８，２４と裏面シート１９，２５との内面とは、コア２０，２６に対向する面をいい、それらシート１８，２４，１９，２５の外面とは、コア２０，２６に非対向の面をいう。
【００１５】
着用物品１Ａは、アウターシート２と、アウターシート２の内側に取り付けられた液吸収性の第１インナーパネル１７と、アウターシート２の内側に取り付けられた液吸収性の第２インナーパネル２３とから構成されている。着用物品１Ａは、パンツ型を呈し、胴周り開口２９とその下方に一対の脚周り開口３０とを有する。
【００１６】
アウターシート２は、対向する面が固着された互いに重なり合う２枚の疎水性繊維不織布３，４から形成されている。アウターシート２は、縦方向に前胴周り域５および後胴周り域７と、それら胴周り域５，７に位置する股下域６とを有する。アウターシート２は、股下域６に胴周り方向内方へ向かって実質的に弧を画く脚周り側部８を有し、その平面形状が砂時計型を呈する。
【００１７】
アウターシート２の前後胴周り域５，７は、第１インナーパネル１７の両側から胴周り方向外方へ延びる胴周り両側部９と、胴周り両側部９の間を胴周り方向へ延びる胴周り中央部１０とを有する。アウターシート２では、前胴周り域５の胴周り両側部９と後胴周り域７の胴周り両側部９とが合掌状に重なり合い、それら胴周り両側部９の縦方向へ延びる側縁１１近傍が縦方向へ間欠的に並ぶ多数の熱融着線１２（接合部）を介して固着されている。
【００１８】
前後胴周り域５，７の端縁１３近傍には、胴周り方向へ延びる複数条の胴周り用弾性部材１４が伸長状態で取り付けられている。股下域５には、その略前半分に位置して前胴周り域５の側から股下域６の縦方向中央部へ向かって凸となる脚周り用弾性部材１５が伸長状態で取り付けられ、その略後半分に位置して後胴周り域７の側から股下域６の縦方向中央部へ向かって凸となる脚周り用弾性部材１６が伸長状態で取り付けられている。胴周り用弾性部材１５と脚周り用弾性部材１６とは、アウターシート２を形成する不織布３，４の間に介在し、それら不織布３，４に固着されている。
【００１９】
それら脚周り用弾性部材１５，１６は、脚周り側部８に延びる両側部１５ａ，１６ａと、股下域６を横切る中央部１５ｂ，１６ｂとを有する。脚周り用弾性部材１５，１６の両側部１５ａ，１６ａは、脚周り側部８に沿って横方向内方へ向かって実質的に弧を画いている。脚周り用弾性部材１５，１６の中央部１５ｂ，１６ｂは、股下域６の縦方向中央部において互いに交差している。
【００２０】
第１インナーパネル１７は、縦方向へ長い略矩形を呈し、アウターシート２の股下域６から前後胴周り域５，７へ向かって縦方向へ延びている。第１インナーパネル１７は、肌当接側に位置する透液性の表面シート１８と、肌非当接側に位置する実質的に不透液性の裏面シート１９と、表裏面シート１８，１９の間に介在する吸液性コア２０とから形成されている。コア２０は、表面シート１８と裏面シート１９とのうちの少なくとも一方の内面に固着されている。第１インナーパネル１７は、コア２０の両側縁２０ｂの外側を縦方向へ略直状に延びるサイドフラップ２１を有する。
【００２１】
第１インナーパネル１７は、その両端部１７ａがアウターシート２の前後胴周り域５，７に固着され、その中央部１７ｂがアウターシート２の股下域６に固着されている。第１インナーパネル１７では、両端部１７ａと中央部１７ｂとの間の部位がアウターシート２に固着されておらず、アウターシート２から遊離している。第１インナーパネル１７の両端部１７ａと中央部１７ｂとでは、パネル１７を形成する裏面シート１９の外面がホットメルト型接着剤２７を介してアウターシート２を形成する不織布３に固着されている。
【００２２】
サイドフラップ２１は、縦方向へ延びる自由側部２１ａと、アウターシート２の前後胴周り域５，７に固着された固定両端部２１ｂとを有する。サイドフラップ２１には、縦方向へ略直状に延びる複数条の伸縮性弾性部材２２が伸長状態で取り付けられている。弾性部材２２は、サイドフラップ２１の自由側部２１ａを胴周り方向へ所与寸法離間して並んでいる。
【００２３】
第２インナーパネル２３は、前後胴周り域５，７の胴周り両側部９に配置されている。第２インナーパネル２３は、胴周り方向へ長い略矩形を呈し、胴周り両側部９を胴周り方向へ延びている。第２インナーパネル２３は、肌当接側に位置する透液性の表面シート２４と、肌非当接側に位置する実質的に不透液性の裏面シート２５と、表裏面シート２４，２５の間に介在する吸液性コア２６とから形成されている。コア２６は、表面シート２４と裏面シート２５とのうちの少なくとも一方の内面に固着されている。第２インナーパネル２３では、それを形成する裏面シート２５の外面がホットメルト型接着剤２８を介してアウターシート２を形成する不織布３に固着されている。
【００２４】
着用物品１Ａでは、前後胴周り域５，７の胴周り両側部９に第２インナーパネル２３が配置されており、第１インナーパネル１７に排泄された排泄物がサイドフラップ２１から胴周り両側部９に漏れたとしても、漏れた排泄物を第２インナーパネル２３において吸収、保持することができるので、胴周り両側部９において排泄物が着用者の肌に付着してしまうことを防ぐことができる。
【００２５】
着用物品１Ａでは、図３に示すように、第１インナーパネル１７が表面シート１８を内側にして縦方向へ湾曲し、弾性部材２２の収縮によってサイドフラップ２１の自由側部２１ａが表面シート１８の上方へ起き上がる。着用物品１Ａでは、サイドフラップ２１の自由側部２１ａが排泄物に対する障壁を形成するので、サイドフラップ２１からの排泄物の漏れを防ぐことができる。
【００２６】
第１インナーパネル１７の両端部１７ａでは、コア２０の両端縁２０ａから表面シート１８の端部１８ａと裏面シート１９の端部１９ａとが縦方向外方へ延び、端部１８ａ，１９ａにおいてそれらシート１８，１９の内面どうしが固着されている。第１インナーパネル１７のサイドフラップ２１は、コア２０の両側縁２０ｂから横方向外方へ延びる表面シート１８の側部１８ｂと裏面シート１９の側部１９ｂとから形成されている。弾性部材２２は、表面シート１８と裏面シート１９との間に介在し、それらシート１８，１９の側部１８ｂ，１９ｂ内面に固着されている。第２インナーパネル２３では、コア２６の周縁２６ａから周方向外方へ表面シート２４と裏面シート２５との周縁部２４ａ，２５ａが延び、周縁部２４ａ，２５ａにおいてそれらシート２４，２５の内面どうしが固着されている。
【００２７】
図５，６は、本発明の実施の形態を示す着用物品１Ｂの部分破断斜視図と、前後胴周り域５，７の連結を解除した状態で示す着用物品１Ｂの部分破断平面図とであり、図７，８は、図５のＣ−Ｃ線矢視断面図と、図６のＤ−Ｄ線断面図とである。図５，６では、胴周り方向を矢印Ｘで示し、縦方向を矢印Ｙで示す。図６では、着用物品１Ｂが縦方向と横方向とへ伸張した状態にある。
【００２８】
着用物品１Ｂは、図１のそれと同様に、アウターシート２と、アウターシート２の内側に取り付けられた液吸収性の第１インナーパネル１７と、アウターシート２の内側に取り付けられた液吸収性の第２インナーパネル２３とから構成されている。着用物品１Ｂは、パンツ型を呈し、胴周り開口２９とその下方に一対の脚周り開口３０とを有する。この着用物品１Ｂが図１のそれと異なる点は、以下のとおりである。
【００２９】
アウターシート２の脚周り側部８には、縦方向へ延びる脚周り用弾性部材３１が伸長状態で取り付けられている。脚周り用弾性部材３１は、脚周り側部８に沿って横方向内方へ向かって実質的に弧を画いている。
【００３０】
第２インナーパネル２３は、前後胴周り域５，７の胴周り側部９と胴周り中央部１０とに配置されている。第２インナーパネル２３は、胴周り方向へ長い略矩形を呈し、胴周り側部９と胴周り中央部１０とを胴周り方向へ延びている。第２インナーパネル２３は、その両側部２３ａがアウターシート２の胴周り側部９の側縁１１近傍に固着されている。第２インナーパネル２３では、両側部２３ａを除く残余の部位がアウターシート２に固着されておらず、アウターシート２から遊離している。第２インナーパネル２３の両側部２３ａでは、パネル２３を形成する裏面シート２５の外面がホットメルト型接着剤２８を介してアウターシート２を形成する不織布３に固着されている。第２インナーパネル２３には、胴周り方向へ延びる複数条の伸縮性弾性部材３２が伸長状態で取り付けられている。
【００３１】
弾性部材３２は、縦方向へ所与寸法離間して並んでいる。弾性部材３２は、裏面シート２５とコア２６との間に介在し、裏面シート２５の内面に固着されている。前後胴周り域５，７の胴周り中央部１０では、第２インナーパネル２３がアウターシート２と第１インナーパネル１７との間に介在している。
【００３２】
第１インナーパネル１７は、その両端部１７ａが第２インナーパネル２３に固着され、その中央部１７ｂがアウターシート２の股下域６に固着されている。第１インナーパネル１７では、両端部１７ａと中央部１７ｂとの間の部位がアウターシート２と第２インナーパネル２３とに固着されておらず、それらから遊離している。第１インナーパネル１７の両端部１７ａでは、パネル１７を形成する裏面シート１９の外面がホットメルト型接着剤を介してパネル２３を形成する表面シート２４の外面に固着されている。サイドフラップ２１は、その固定両端部２１ｂが第２インナーパネル２３に固着されている。
【００３３】
この着用物品１Ｂでは、前後胴周り域５，７の胴周り両側部９と胴周り中央部１０とに第２インナーパネル２３が配置されており、第１インナーパネル１７に排泄された排泄物がサイドフラップ２１から胴周り両側部９に漏れたとしても、漏れた排泄物を第２インナーパネル２３において吸収、保持することができるので、胴周り両側部９において排泄物が着用者の肌に付着してしまうことを防ぐことができる。
【００３４】
着用物品１Ｂでは、第２インナーパネル２３が前後胴周り域５，７の胴周り中央部１０に配置されているので、第２インナーパネル２３が前後胴周り域５，７の胴周り両側部９のみに配置された図１の着用物品１Ａと比較し、第２インナーパネル２３の排泄物吸収量を向上させることができる。また、着用物品１Ｂでは、第２インナーパネル２３に弾性部材３２が取り付けられているので、着用物品１Ｂを着用したときに、弾性部材２３によって着用者の胴部を締め付けることができ、着用物品１Ｂが着用者の胴部から不用意にずれ下がってしまうことを防ぐことができる。
【００３５】
それら図示の着用物品１Ａ，１Ｂでは、第２インナーパネル２３が前後胴周り域５，７に取り付けられているが、第２インナーパネル２３が前後胴周り域５，７のうちの少なくとも一方に取り付けられていればよい。
【００３６】
表面シート１８，２４には、親水性繊維不織布、多数の開孔を有する疎水性繊維不織布、微細な多数の開孔を有するプラスチックフィルムのいずれかを使用することができる。
【００３７】
裏面シート１９，２５には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００３８】
アウターシート２は、疎水性繊維不織布の他に、通気不透液性プラスチックフィルム、疎水性繊維不織布と通気不透液性プラスチックフィルムとを重ね合わせた複合シートのいずれかから形成されていてもよい。
【００３９】
アウターシート２や裏面シート１９，２５には、高い耐水性を有するメルトブローン法による繊維不織布を、高い強度と良好な柔軟性とを有するスパンボンド法による繊維不織布で挟んだ複合不織布を使用することもできる。
【００４０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４１】
コア２０，２６は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア２０，２６は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４２】
表面シート１８，２４と裏面シート１９，２５との固着、コア２０，２６の固着、弾性部材１４，１５，１６，２２，３２の固着には、ホットメルト型接着剤、または、ヒートシールやソニックシール等の熱による溶着手段を利用することができる。
【００４３】
この発明は、前後胴周り域の胴周り側部があらかじめ連結されたパンツ型の着用物品の他に、着用時に前後胴周り域の胴周り側部が連結するオープン型の着用物品でも実施することができる。
【００４４】
【発明の効果】
本発明にかかる使い捨て着用物品によれば、アウターシートの前後胴周り域のうちの少なくとも一方を胴周り方向へ延びる液吸収性の第２インナーパネルが胴周り両側部と胴周り中央部とのうちの少なくとも胴周り両側部に配置されているので、第１インナーパネルに排泄された排泄物が第１インナーパネルから前後胴周り域の胴周り両側部に漏れたとしても、漏れた排泄物を第２インナーパネルにおいて吸収、保持することができる。ゆえに、この着用物品では、胴周り両側部に漏れた排泄物が着用者の肌に付着してしまうことはない。
【００４５】
第２インナーパネルに伸縮性弾性部材が取り付けられた着用物品では、胴周り両側部に漏れた排泄物を第２インナーパネルにおいて吸収、保持することができることはもちろん、着用物品を着用したときに、弾性部材によって着用者の胴部を締め付けることができるので、着用物品が着用者の胴部から不用意にずれ下がってしまうことを防ぐことができる。
【図面の簡単な説明】
【図１】着用物品の部分破断斜視図。
【図２】前後胴周り域の連結を解除した状態で示す着用物品の平面図。
【図３】図１のＡ−Ａ線矢視断面図。
【図４】図２のＢ−Ｂ線端面図。
【図５】他の実施の形態を示す着用物品の部分破断斜視図。
【図６】前後胴周り域の連結を解除した状態で示す着用物品の平面図。
【図７】図５のＣ−Ｃ線矢視断面図。
【図８】図６のＤ−Ｄ線端面図。
【符号の説明】
１Ａ，１Ｂ      使い捨て着用物品
２              アウターシート
５              前胴周り域
６              股下域
７              後胴周り域
９              胴周り両側部
１０              胴周り中央部
１２              熱融着線（接合部）
１７              第１インナーパネル
１８              表面シート
１９              裏面シート
２０              吸液性コア
２３              第２インナーパネル
２４              表面シート
２５              裏面シート
２６              吸液性コア
２９              胴周り開口
３０              脚周り開口
３２              伸縮性弾性部材
【図１】
0004051193.tif 000002
【図２】
0004051193.tif 000003
【図３】
0004051193.tif 000004
【図４】
0004051193.tif 000005
【図５】
0004051193.tif 000006
【図６】
0004051193.tif 000007
【図７】
0004051193.tif 000008
【図８】
0004051193.tif 000009